(57)【要約】      （修正有）【課題】使用時の騒音の減少及び刃鞘の使用寿命を有効に延長でき、構造の簡略化により、組立性が向上し、製造コストを有効に削減できるチェーン式刃鞘を提供する。【解決手段】支持フレーム１、結合部材２、及び、刃鞘３を備え、支持フレームは、二つのチェーン１４、１５と、結合部材と結合されている支持板１６と、支持板の上にＵ字型支持板１８と、を有し、結合部材は、固定部２１と、固定部の両側から上方に延伸する弾性片２２と、各弾性片の上に設けられている折曲部２３と、を有する。結合部材の折曲部は、刃鞘に形成されている係止溝３３に嵌入されており、固定部材３２は、刃鞘に開設されている固定孔３１内に螺設され、支持フレームを刃鞘に固定する。Ｕ字型支持板は、結合部材及び支持板に連結されている水平支持板１８０、および、左右両側に設けられている突出片１８１を有し、Ｕ字型支持板と結合部材と支持フレームとは一体となり、突出片は、刃鞘に嵌合かつ連結され、刃鞘を支持フレームに固定することを特徴とする。【選択図】図４
0003198497.tif 000002
【実用新案登録請求の範囲】
【請求項１】
支持フレーム、結合部材、及び、刃鞘を備え、
前記支持フレームは、二つの互いに対向するフレーム板と、二つ前記のフレーム板の間に設けられている複数の棒と、二つの前記フレーム板の互いに対向する面の底部にそれぞれ設けられている二つのチェーンと、二つの前記フレーム板のうちの一方に設けられており且つ前記結合部材と結合されている支持板と、二つの前記フレーム板のうちの他方の外側の面に設けられており且つ相互に対向する二つの延伸板とを有し、
前記結合部材は、固定部と、前記固定部の両側からそれぞれ上方に延伸する弾性片と、各前記弾性片の上にそれぞれ設けられている折曲部と、を有し、
前記固定部は固定部材により前記支持フレームの前記支持板に固設されており、
前記結合部材と前記支持フレームとは一体に結合されており、
前記結合部材の前記折曲部は、前記刃鞘に形成されている係止溝に嵌入されており、
前記固定部材は、前記支持フレームの前記延伸板に開設されている穿孔に貫設されており、前記刃鞘に開設されている固定孔内に螺設されており、前記支持フレームを前記刃鞘に固定するチェーン式刃鞘であって、
前記フレーム板と、複数の前記棒と、前記フレーム板の外側の面に設けられており相互に対応する二つの前記延伸板の代わりに、前記支持板の上にＵ字型支持板が設けられており、
前記Ｕ字型支持板は、前記結合部材及び前記支持板に連結されている水平支持板、および、左右両側に設けられている突出片を有し、
前記Ｕ字型支持板と前記結合部材と前記支持フレームとは一体となり、
前記結合部材の前記折曲部は前記係止溝内に嵌入可能であり、
前記突出片は、前記刃鞘に嵌合かつ連結されており、前記刃鞘を前記支持フレームに固定することを特徴とするチェーン式刃鞘。
【考案の詳細な説明】
【技術分野】
【０００１】
本考案は、チェーン式刃鞘に関する。
【背景技術】
【０００２】
特許文献１に記載の「チェーン型刃鞘構造」は、図１から３に示されるように、いずれも発明者が発明し、すでに生産されているチェーン式刃鞘である。それは、支持フレーム１、結合部材２、刃鞘３を備える。支持フレーム１は、二つの対応するフレーム板１１、１２、各フレーム板１１、１２との間に設けられる複数の棒１３、各フレーム板１１、１２に対応した面の底部にそれぞれ設けられる二つのチェーン１４、１５、フレーム板１１のうちの一つに設けられ且つ固定部２１と結合される支持板１６及び別のフレーム板１２の外側面に設けられ且つ相互に対応する二つの延伸板１７からなる。そして、結合部材２は、固定部２１と、固定部２１の両側からそれぞれ上方へ延伸する弾性片２２と各弾性片２２上にそれぞれ設けられる折曲部２３を有する。ねじで固定部２１を支持フレーム１の支持板１６に固設し、結合部材２と支持フレーム１を一体的に接合する。更に結合部材２の折曲部２３を刃鞘３に形成されている係止溝３３に嵌入させ、二つのフレーム板１１、１２の上に形成されている凹溝１１１、１２１に刃鞘３を嵌めこむ。支持フレーム１の延伸板１７の上に形成されている穿孔１７１内に固定部材３２を貫設することで、前記固定部材３２を刃鞘３に形成されている固定孔３１内に螺設し、支持フレーム１を刃鞘３に固定する。更に、使用時の騒音が減少し、摩擦が低下することにより、刃鞘３の使用寿命が有効に延長される。これにより、中華民国智的財産局により、実用新案として特許文献２の登録を受けるとともに本業界において肯定的な評価が得られた。中華民国智的財産局の肯定及びこの業界において多くの先輩方の称賛を得た。
【先行技術文献】
【特許文献】
【０００３】
【特許文献１】台湾特許出願第１００２１７０４３号明細書
【特許文献２】台湾実用新案登録第Ｍ４２１１８８号明細書
【考案の概要】
【考案が解決しようとする課題】
【０００４】
本考案の目的は、従来のチェーン式刃鞘にさらなる改良を加え、より完璧なチェーン式刃鞘を提供することにある。
【課題を解決するための手段】
【０００５】
本考案によるチェーン式刃鞘は、特許文献１に記載のチェーン式刃鞘フレーム板、二つの延伸板、複数の棒の代わりに、支持板上にＵ字型支持板を設ける。チェーン型刃鞘構造が既に有する使用時の騒音の減少及び摩擦の低減が刃鞘の使用寿命を有効に延長できるという効果のほか、構造の簡略化により、組立性が向上し、製造コストが有効に削減され、市場競争力が向上することができる。
【図面の簡単な説明】
【０００６】
【図１】従来のチェーン式刃鞘の分解斜視図である。
【図２】従来のチェーン式刃鞘の斜視図である。
【図３】従来のチェーン式刃鞘の側面図である。
【図４】本考案の一実施形態によるチェーン式刃鞘の分解斜視図である。
【図５】本考案の一実施形態によるチェーン式刃鞘の斜視図である。
【図６】本考案の一実施形態によるチェーン式刃鞘の側面図である。
【考案を実施するための形態】
【０００７】
上記目的が採用する技術手段及びその効果を、実施形態および図面に基づいて詳細に説明する。これにより本考案の上記目的、メリットが具体的に理解できると確信する。
【０００８】
（一実施形態）
図４〜６は、それぞれ本考案の分解斜視図、斜視図及び側面図である。図面からわかるように、本考案の改良個所は以下の通りである。特許文献１に記載のフレーム板１２、複数の棒１３、及び、フレーム板１２の外側面に設けられ相互に対応する二つの延伸板１７の代わりに、支持板１６の上にＵ字型支持板１８が設けられている。よって、チェーン型刃鞘構造を簡略化して、その製造コストを有効に削減し、市場競争力を向上させることができる。Ｕ字型支持板１８の水平支持板１８０が結合部材２上の固定部２１に結合することにより、水平支持板１８０上に開設された複数の孔１８０ａ、固定部２１上の孔２１０と支持板１６上の複数の孔１６０が相互に結合できるとともに、複数の固定部材ａによりこれらを固定し、Ｕ字型支持板１８、結合部材２と支持板１６などの三つの部材を安定して接続して一体となる。即ち、Ｕ字型支持板１８と結合部材２が容易に支持フレーム１に連結でき、これにより結合部材２の左右両側の折曲部２３が刃鞘３の左右両側面の係止溝３３に嵌入する。またＵ字型支持板１８の左右両側上の突出片１８１は刃鞘３に嵌装される。突出片１８１の上に形成されている孔１８１ａと刃鞘３の上の固定孔３１とが対応する。固定部材３２は突出片１８１の上に形成されている孔１８１ａと刃鞘３の上の固定孔３１に貫設される。よって、刃鞘３は支持フレーム１に容易且つ安定的に固定される。また、刃鞘３は、ぐらつかず、外側へ移動して衝撃による摩擦が生じず、使用時の騒音の減少及び使用寿命の延長の効果のほか、チェーン式刃鞘の全体的構造を簡略化し、チェーン式刃鞘の組立性を向上させ、製造コストを有効に削減し、市場競争力を高めることができる。
【０００９】
以上より、本考案は、従来のチェーン式刃鞘の構造の改良により、従来のチェーン式刃鞘の構造を更に完璧にし、且つ効果をより向上させた。本考案は、非常に優れた改良の考案であり、奨励、または創作の改良を激励するという趣旨に沿うものである。
【符号の説明】
【００１０】
１  支持フレーム、
２  結合部材、
３  刃鞘、
１１、１２  フレーム板、
１３  棒、
１４、１５  チェーン、
２１  固定部、
１６  支持板、
２２  弾性片、
１７  延伸板、
２３  折曲部、
３１  固定孔、
３２、ａ  固定部材、
３３  係止溝、
１８０  水平支持板、
１８  Ｕ字型支持板、
１８１  突出片、
１８０ａ、１６０、２１０、１８１ａ  孔、
１１１、１２１  凹溝。
【図１】
0003198497.tif 000003
【図２】
0003198497.tif 000004
【図３】
0003198497.tif 000005
【図４】
0003198497.tif 000006
【図５】
0003198497.tif 000007
【図６】
0003198497.tif 000008
【手続補正書】
【提出日】平成27年4月30日(2015.4.30)
【手続補正１】
【補正対象書類名】実用新案登録請求の範囲
【補正対象項目名】全文
【補正方法】変更
【補正の内容】
【実用新案登録請求の範囲】
【請求項１】
支持フレーム、結合部材、及び、刃鞘を備え、
前記支持フレームは、二つのチェーンと、前記結合部材と結合されている支持板と、前記支持板の上に設けられているＵ字型支持板と、を有し、
前記結合部材は、固定部と、前記固定部の両側からそれぞれ上方に延伸する弾性片と、
各前記弾性片の上にそれぞれ設けられている折曲部と、を有し、
前記固定部は固定部材により前記支持フレームの前記支持板に固設されており、
前記結合部材と前記支持フレームとは一体に結合されており、
前記結合部材の前記折曲部は、前記刃鞘に形成されている係止溝に嵌入されており、
前記固定部材は、前記刃鞘に開設されている固定孔内に螺設されており、前記支持フレームを前記刃鞘に固定し、
前記Ｕ字型支持板は、前記結合部材及び前記支持板に連結されている水平支持板、および、左右両側に設けられている突出片を有し、
前記Ｕ字型支持板と前記結合部材と前記支持フレームとは一体となり、
前記結合部材の前記折曲部は前記係止溝内に嵌入可能であり、
前記突出片は、前記刃鞘に嵌合かつ連結されており、前記刃鞘を前記支持フレームに固定することを特徴とするチェーン式刃鞘。